(57)【要約】【目的】リビングやダイニングで子供が親と過ごしながら、日常行うべきことを躾として子供に習慣づけることを可能にする。【構成】本発明に係る住宅収納用棚板１は、住宅内に設置された玄関脇のウォークインクローゼット、リビング、ダイニング等の共用空間に設置された収納棚あるいはクローゼットの棚板に適用されるものであって、木材で棚板本体２を構成するとともに、該棚板本体のうち、水平架設姿勢において正面側となる端面５に、磁性材でかつ帯状の磁性部材としての平鋼（フラットバー）３を配置し、棚板本体２の上下面と平鋼３とが覆われるように化粧シート４を巻き付けて構成してある。【選択図】  図１
2015140566.tif 000002
【特許請求の範囲】
【請求項１】
木材、木質材料、樹脂材料その他非磁性材料で形成された棚板本体であって水平架設姿勢において正面側となる端面に磁性材を配置したことを特徴とする住宅収納用棚板。
【請求項２】
前記磁性材を帯状の磁性部材で構成した請求項１記載の住宅収納用棚板。
【請求項３】
前記磁性材を、横断面がＬ字状の鋼材で構成してその内面の一方が前記端面に当接されるように該端面に取り付け、横断面がＣ字状の鋼材で構成して前記端面が挟み込まれるように前記棚板本体の正面側縁部に嵌め込み、又は横断面が角筒状の鋼材で構成して前記端面と面一になるように前記棚板本体の正面側縁部に埋設した請求項１記載の住宅収納用棚板。
【請求項４】
前記磁性材をゴム磁石からなる長尺状の磁性部材で構成するとともに、該磁性部材を、長尺状平板部とその長手側縁部の少なくとも前記水平架設姿勢で下方となる側に設けられた突条とで構成し、該突条が設けられた側と反対の側で前記端面に取り付けた請求項１記載の住宅収納用棚板。
【請求項５】
長尺状平板部とその長手側縁部の少なくとも前記水平架設姿勢で下方となる側に設けられた突条とで構成された樹脂材料からなる係止部材を該突条が設けられた側と反対の側で前記端面に取り付けるとともに、前記磁性材を帯状の磁性部材で構成して該磁性部材を前記長尺状平板部に取り付け又は埋設した請求項１記載の住宅収納用棚板。
【請求項６】
少なくとも前記磁性部材が覆われるように前記棚板本体の正面側縁部に化粧シートを貼着した請求項１乃至請求項５のいずれか一記載の住宅収納用棚板。
【請求項７】
棚板を水平に架設するとともに該棚板の後方縁部直上に防護板を配置した収納棚において、
前記防護板を磁性材料で構成し又は非磁性材料からなる防護本体とその一方の面に配置された磁性材とで構成したことを特徴とする住宅用収納棚。
【発明の詳細な説明】
【技術分野】
【０００１】
本発明は、主として子育て世帯に適した住宅収納用棚板及び住宅用収納棚に関する。
【背景技術】
【０００２】
子育て世帯が居住する住宅を設計施工するにあたり、旧来、独立心を養う、勉強に適した環境を整える、プライバシーに配慮するといった観点から、リビングやダイニングとは別に、子供部屋を個室として設けるのが一般的であった。
【０００３】
ところが、昨今においては、子供が長時間個室で過ごすことで、引きこもりに見られるような人格形成上の弊害が生じたり、インターネットが持つ危険な側面を認識できずに犯罪に巻き込まれたりといった事態が懸念されることから、子供が中学生以下、特に小学生以下の場合、就寝時以外は自らの個室で過ごさず、リビングやダイニングで親と過ごすことが一般化しつつある。
【０００４】
一方、最近では、躾が再認識され、その主体が学校から家庭に移行しつつあるとともに、家庭での学習量も増える傾向にあり、家庭における躾、特に学習の習慣付けについての家庭の役割が以前にも増して重要になってきた。
【先行技術文献】
【特許文献】
【０００５】
【特許文献１】特開２０１３−２０９８７３号公報
【発明の概要】
【発明が解決しようとする課題】
【０００６】
ここで、リビングやダイニングは本来、接客空間としての機能も担っているため、子供が親と一緒にダイニングで食事をしたり、ダイニングテーブルで子供が勉強し、さらにはそれをキッチンで家事をする母親が見守ったり、親子がリビングで会話をしたりといったことは、広さの面ではほとんど問題とはならない。
【０００７】
しかしながら、子供に必要な収納はそれぞれの個室で確保されていることから、それに合わせて子供が自分の持ち物を個室に収納し、さらには帰宅時の片付けや登校時の準備も個室で行なおうとすると、住宅内における行動が非効率になる、すなわち、子供の主たる活動場所がダイニングやリビングになっているため、典型的には一階のリビングやダイニングと二階の子供部屋とを何度も行き来しなければならなくなり、子供ならずとも移動が面倒になる。
【０００８】
一方、リビングやダイニングに設置されたシステム収納と呼ばれる造付け家具内の収納スペースを子供用の収納スペースとして一部開放し、子供にはその収納スペースに持ち物を片付けるよう、習慣付けることも考えられるが、自分が使ってよい収納スペースを継続的かつ確実に子供に認識させることは容易ではない。
【０００９】
そのため、ともすればダイニングやリビングに子供の持ち物が散在する結果を招き、帰宅時の片付けや登校時の準備といった日常行うべきことを躾として子供に習慣付けることが困難になるという問題を生じていた。
【課題を解決するための手段】
【００１０】
本発明は、上述した事情を考慮してなされたもので、リビングやダイニングで子供が親と過ごしながら、日常行うべきことを躾として子供に習慣づけることが可能な住宅収納用棚板及び住宅用収納棚を提供することを目的とする。
【００１１】
上記目的を達成するため、本発明に係る住宅収納用棚板は請求項１に記載したように、木材、木質材料、樹脂材料その他非磁性材料で形成された棚板本体であって水平架設姿勢において正面側となる端面に磁性材を配置したものである。
【００１２】
また、本発明に係る住宅収納用棚板は、前記磁性材を帯状の磁性部材で構成したものである。
【００１３】
また、本発明に係る住宅収納用棚板は、前記磁性材を、横断面がＬ字状の鋼材で構成してその内面の一方が前記端面に当接されるように該端面に取り付け、横断面がＣ字状の鋼材で構成して前記端面が挟み込まれるように前記棚板本体の正面側縁部に嵌め込み、又は横断面が角筒状の鋼材で構成して前記端面と面一になるように前記棚板本体の正面側縁部に埋設したものである。
【００１４】
また、本発明に係る住宅収納用棚板は、前記磁性材をゴム磁石からなる長尺状の磁性部材で構成するとともに、該磁性部材を、長尺状平板部とその長手側縁部の少なくとも前記水平架設姿勢で下方となる側に設けられた突条とで構成し、該突条が設けられた側と反対の側で前記端面に取り付けたものである。
【００１５】
また、本発明に係る住宅収納用棚板は、長尺状平板部とその長手側縁部の少なくとも前記水平架設姿勢で下方となる側に設けられた突条とで構成された樹脂材料からなる係止部材を該突条が設けられた側と反対の側で前記端面に取り付けるとともに、前記磁性材を帯状の磁性部材で構成して該磁性部材を前記長尺状平板部に取り付け又は埋設したものである。
【００１６】
また、本発明に係る住宅収納用棚板は、少なくとも前記磁性部材が覆われるように前記棚板本体の正面側縁部に化粧シートを貼着したものである。
【００１７】
また、本発明に係る住宅用収納棚は請求項７に記載したように、棚板を水平に架設するとともに該棚板の後方縁部直上に防護板を配置した収納棚において、  
前記防護板を磁性材料で構成し又は非磁性材料からなる防護本体とその一方の面に配置された磁性材とで構成したものである。
【００１８】
［住宅収納用棚板］
本発明に係る住宅収納用棚板においては、木材、木質材料、樹脂材料その他非磁性材料で棚板本体を構成するにあたり、該棚板本体のうち、水平架設姿勢において正面側となる端面に磁性材を配置してあり、棚板本体直上の収納スペースを特定の利用者に限定したい場合には、その棚板本体の端面に配置された磁性材に磁着させる形で該端面に所定の識別手段を取り付ける。
【００１９】
このようにすると、識別手段が付された収容スペースが誰の専用スペースなのかを居住者各員が互いに認識し、他の収容スペースと区別することができるので、自分の持ち物を決められた場所に収納するように子供に習慣づけることが可能となる。
【００２０】
加えて、棚板本体の端面に対し、識別手段を容易に着脱することができるので、利用者の割当ても簡単に変更することが可能となり、子供の成長や生活環境の変化にも柔軟に対応することができる。
【００２１】
本発明に係る住宅収納用棚板は、住宅内に設置されたあらゆる収納スペースに適用することができるが、特に、玄関脇のウォークインクローゼット、リビング、ダイニング、トイレ、洗面所といった共用空間に設置された収納棚あるいはクローゼットの棚板に適用すれば、自分の持ち物は自分で管理するという子供への習慣付けが住宅内で広く徹底されることとなり、子供への負担を最小限にとどめつつ、上述の習慣づけをより確実に行うことが可能となる。
【００２２】
棚板本体は、ムク材である木材をはじめ、合板、パーティクルボード、繊維板、集成材などの木質材料や樹脂材料その他の非磁性材料で構成することができるが、磁性材料で構成されたもの、典型的には、主としてオフィスで用いられるスチール製の棚板は除外される。
【００２３】
識別手段をどのように構成しそれを用いてどのように利用者を特定するかは任意であるが、たとえばカラーマグネットを識別手段とした場合には色で、マグネット式プレートを識別手段とした場合には該プレートに記載された名前で利用者の特定がそれぞれ可能である。
【００２４】
また、マグネットフック及びそれに吊持される吊持物を識別手段とした場合には、利用者を特定可能な吊持物、例えばイニシャルをあしらったアクセサリーを吊持物とし、これをマグネットフックに掛けることにより、利用者の区別が可能であるし、そのようなアクセサリー自体がマグネット式である場合には、これを識別手段とすることも可能である。
【００２５】
同様に、マグネットクリップ及びそれに狭着される狭着物を識別手段とした場合には、利用者を特定可能な狭着物、例えば名前やイニシャルが記載されたプレートや紙片をマグネットクリップで挟むことにより、同様に利用者の区別が可能である。
【００２６】
磁性材は、棚板本体の正面側となる端面に配置される限り、具体的な構成は任意であって、磁性体粉末の形で塗布するなどの構成が可能であるとともに、磁性部材の形で採用する場合についても、磁性材料、着磁面、着磁方向等の仕様を、識別手段における同様の仕様との兼ね合いで適宜選択することができるが、具体的には、
(a)  磁性材を帯状の磁性部材で構成するとともに該磁性部材を上述した端面に取り付けた構成
(b-1)  磁性材を、横断面がＬ字状の鋼材で構成してその内面の一方が上述した端面に当接されるように該端面に取り付けた構成
(b-2)  磁性材を、横断面がＣ字状の鋼材で構成して上述の端面が挟み込まれるように棚板本体の正面側縁部に嵌め込んだ構成
(b-3)  磁性材を、横断面が角筒状の鋼材で構成して上述の端面と面一になるように棚板本体の正面側縁部に埋設した構成
(c)  磁性材をゴム磁石からなる長尺状の磁性部材で構成するとともに、該磁性部材を、長尺状平板部とその長手側縁部の少なくとも水平架設姿勢で下方となる側に設けられた突条とで構成し、該突条が設けられた側と反対の側で前記端面に取り付けた構成
(d)  長尺状平板部とその長手側縁部の少なくとも前記水平架設姿勢で下方となる側に設けられた突条とで構成された樹脂材料からなる係止部材を該突条が設けられた側と反対の側で前記端面に取り付けるとともに、前記磁性材を帯状の磁性部材で構成して該磁性部材を前記長尺状平板部に取り付け又は埋設した構成
を採用することができる。
【００２７】
ここで、(a)に示した帯状の磁性部材は、例えば平鋼や帯状のゴム磁石で構成することが可能であり、前者は識別手段として、カラーマグネット、マグネットフック、マグネット式プレート等のマグネット用品を用いる場合に適した例、後者は、鋼製部材をプレート等の形で識別手段として用いる場合に適した例となる。
【００２８】
(b-1)〜(b-3)は、磁性材を軟磁性材料である鋼材で構成した例であって、これらによれば、磁性部材の曲げ剛性が棚板本体を補剛するため、住宅収納用棚板全体の面外曲げ剛性を高めて収納物の許容載荷荷重を引き上げることができる。
【００２９】
(c)は、磁性材をゴム磁石からなる長尺状の磁性部材で構成した例であるが、長尺状平板部に磁着された識別手段が該長尺状平板部の長手側縁部に設けられた突条で係止されるため、ゴム磁石の磁力が比較的弱い場合、例えば等方性のゴム磁石を用いた場合に、突条による係止力でそれを補うことができる。なお、(c)は、鋼製部材をプレート等の形で識別手段として用いる場合に適した例となる。
【００３０】
(d)は、突条が設けられた同様の構成を樹脂材料で構成して係止部材とし、これを帯状の磁性部材と組み合わせて用いる例であり、識別手段を帯状の磁性部材に磁着させるにあたり、その磁着力に突条による係止力が加わるため、例えばマグネットフックを識別手段とした場合、そのマグネットフックに掛ける吊持物の許容吊持荷重を引き上げることができる。
【００３１】
［住宅用収納棚］
本発明に係る住宅用収納棚は、棚板の後方縁部直上に防護板を配置するにあたり、該防護板を磁性材料で構成し又は該防護板を非磁性材料からなる防護本体とその一方の面に配置された磁性材とで構成してあり、棚板直上の収納スペースを特定の利用者に限定したい場合には、その棚板の後方縁部直上に配置された防護板に磁着させる形で該防護板に所定の識別手段を取り付ける。
【００３２】
このようにすると、識別手段が付された収容スペースが誰の専用スペースなのかを居住者各員が互いに認識し、他の収容スペースと区別することができるので、自分の持ち物を決められた場所に収納するように子供に習慣づけることが可能となる。
【００３３】
加えて、防護板に対して識別手段を容易に着脱することができるので、利用者の割当ても簡単に変更することが可能となり、子供の成長や生活環境の変化にも柔軟に対応することができる。
【００３４】
本発明に係る住宅用収納棚は、住宅内に設置されたあらゆる収納棚に適用することができるが、特に、玄関脇のウォークインクローゼット、リビング、ダイニング、トイレ、洗面所といった共用空間に設置された収納棚あるいはクローゼットに適用すれば、自分の持ち物は自分で管理するという子供への習慣付けが住宅内で広く徹底されることとなり、子供への負担を最小限にとどめつつ、上述の習慣づけをより確実に行うことが可能となる。
【００３５】
識別手段をどのように構成しそれを用いてどのように利用者を特定するかは任意であるが、たとえばカラーマグネットを識別手段とした場合には色で、マグネット式プレートを識別手段とした場合には該プレートに記載された名前で利用者の特定がそれぞれ可能である。
【００３６】
また、マグネットフック及びそれに吊持される吊持物を識別手段とした場合には、利用者を特定可能な吊持物、例えばイニシャルをあしらったアクセサリーを吊持物とし、これをマグネットフックに掛けることにより、利用者の区別が可能であるし、そのようなアクセサリー自体がマグネット式である場合には、これを識別手段とすることも可能である。
【００３７】
同様に、マグネットクリップ及びそれに狭着される狭着物を識別手段とした場合には、利用者を特定可能な狭着物、例えば名前やイニシャルが記載されたプレートや紙片をマグネットクリップで挟むことにより、同様に利用者の区別が可能である。
【００３８】
防護板を磁性材料で構成する場合の具体例としては、防護板を鋼板とする構成が典型例となる。
【００３９】
磁性材は、防護本体の一方の面に配置される限り、具体的な構成は任意であって、磁性体粉末の形で塗布するなどの構成が可能であるとともに、磁性部材の形で採用する場合についても、磁性材料、着磁面、着磁方向等の仕様を、識別手段における同様の仕様との兼ね合いで適宜選択することができるが、具体的には、鋼板やゴム磁石で構成することが可能であり、前者は識別手段として、カラーマグネット、マグネットフック、マグネット式プレート等のマグネット用品を用いる場合に適した例、後者は、鋼製部材をプレート等の形で識別手段として用いる場合に適した例となる。
【図面の簡単な説明】
【００４０】
【図１】本実施形態に係る住宅収納用棚板１の図であり、(a)は全体斜視図、(b)はＡ−Ａ線方向に沿う断面図。
【図２】本実施形態に係る住宅収納用棚板１が備えられた収納棚２０の使用方法を示した全体斜視図。
【図３】変形例に係る住宅収納用棚板を示した断面図。
【図４】別の変形例に係る住宅収納用棚板を示した図であり、(a)は断面図、(b)は使用方法を示した斜視図。
【図５】さらに別の変形例に係る住宅収納用棚板を示した断面図。
【図６】本実施形態に係る住宅用収納棚６１の全体斜視図。
【発明を実施するための形態】
【００４１】
以下、本発明に係る住宅収納用棚板及び住宅用収納棚の実施の形態について、添付図面を参照して説明する。
【００４２】
［第１実施形態］
図１は、第１実施形態に係る住宅収納用棚板を示した全体斜視図及び断面図である。これらの図でわかるように、本実施形態に係る住宅収納用棚板１は、住宅内に設置された玄関脇のウォークインクローゼット、リビング、ダイニング等の共用空間に設置された収納棚あるいはクローゼットの棚板に適用されるものであって、木材で棚板本体２を構成するとともに、該棚板本体のうち、水平架設姿勢において正面側となる端面５に、磁性材でかつ帯状の磁性部材としての平鋼（フラットバー）３を配置し、棚板本体２の上下面と平鋼３とが覆われるように化粧シート４を巻き付けて構成してある。
【００４３】
図２は、住宅収納用棚板１と同一構成に係る２つの住宅収納用棚板１ａ，１ｂが上下段に水平架設されてなる収納棚２０を示したものであり、かかる収納棚２０において、住宅収納用棚板１ａ，１ｂの直上に拡がる各収納スペース２３ａ，２３ｂの利用を、居住者のうち、利用者である子供Ａ，Ｂにそれぞれ限定したい場合には、棚板本体２の端面５に配置された平鋼３に磁着させる形で該端面に識別手段としてのカラーマグネット２１ａ，２１ｂや、マグネット式プレート２２ａ，２２ｂを取り付ける。
【００４４】
ここで、識別手段としてカラーマグネット２１ａ，２１ｂを用いる場合には、それぞれの色をたとえば赤と緑にし、予め赤を子供Ａに、緑を子供Ｂにそれぞれ関連付けておけばよいし、マグネット式プレート２２ａ，２２ｂを用いる場合には、子供Ａの名前「Ichiro」と子供Ｂの名前「Hanako」をマグネット式プレート２２ａ，２２ｂにそれぞれ記載しておけばよい。
【００４５】
このようにすると、子供Ａは、収納スペース２３ａが自分の専用スペースであると認識し、他の居住者は子供Ｂも含め、収納スペース２３ａを使ってはならないと認識可能な状態となり、子供Ｂは、収納スペース２３ｂが自分の専用スペースであると認識し、他の居住者は子供Ａも含め、収納スペース２３ｂを使ってはならないと認識可能な状態となる。
【００４６】
以上説明したように、本実施形態に係る住宅収納用棚板１によれば、棚板本体２のうち、水平架設姿勢において正面側となる端面５に平鋼３を配置したので、該平鋼に磁着させる形で該端面にカラーマグネット２１ａ，２１ｂや、マグネット式プレート２２ａ，２２ｂといった識別手段を取り付けることができるとともに、これらの識別手段が付された収容スペース２３ａ，２３ｂが、それぞれ子供Ａ，Ｂの専用スペースであることを居住者各員が互いに認識し、他の収容スペースと区別することができるので、子供Ａ，Ｂに対し、自分の持ち物を決められた場所、すなわち収納スペース２３ａ，２３ｂにそれぞれ収納するよう、習慣づけることが可能となる。
【００４７】
また、本実施形態に係る住宅収納用棚板１によれば、棚板本体２の端面５に対し、識別手段であるカラーマグネット２１ａ，２１ｂや、マグネット式プレート２２ａ，２２ｂを容易に着脱することができるので、利用者の割当ても簡単に変更することが可能となり、子供の成長や生活環境の変化にも柔軟に対応することができる。
【００４８】
本実施形態では、本発明の棚板本体をムク材からなる棚板本体２で構成したが、これに代えて、パーティクルボードや繊維板等の木質材料からなる棚板本体で本発明の棚板本体を構成してもかまわない。
【００４９】
また、本実施形態では、棚板本体２の上下面と平鋼３とが覆われるように化粧シート４を巻き付けたが、該化粧シートは省略することが可能である。
【００５０】
また、本実施形態では、本発明の磁性材でかつ帯状の磁性部材として平鋼３を採用したが、かかる帯状の磁性部材を、平鋼３に代えて、帯状のゴム磁石で構成してもかまわない。
【００５１】
なお、ゴム磁石の場合、着磁方向（異方性か等方性か）や着磁面次第では、磁石よりも鋼材の方が磁着しやすいことがあるため、その場合には、識別手段をマグネット用品に代えて、鋼製部材、例えばスチールプレートとするのが望ましい。
【００５２】
また、本実施形態では、本発明の磁性材を帯状の磁性部材としたが、これに代えて、横断面がＬ字状、Ｃ字状又は角筒状の鋼材で構成することが可能である。
【００５３】
図３(a)に示した住宅収納用棚板は、本発明の磁性材として横断面がＬ字状の鋼材３１を採用し、該鋼材を、その内面の一方が棚板本体２の端面５に当接されるように該端面に取り付け、棚板本体２の上下面と鋼材３１とが覆われるように化粧シート４を巻き付けて構成してある。
【００５４】
また、図３(b)に示した住宅収納用棚板は、本発明の磁性材として横断面がＣ字状の鋼材３２を採用し、該鋼材を、端面５が挟み込まれるように棚板本体２の正面側縁部３４に嵌め込み、棚板本体２の上下面と鋼材３２とが覆われるように化粧シート４を巻き付けて構成してある。
【００５５】
また、図３(c)に示した住宅収納用棚板は、本発明の磁性材として横断面が角筒状の鋼材３３を採用し、該鋼材を、端面５と面一になるように棚板本体２の正面側縁部３４に埋設し、棚板本体２の上下面と鋼材３３とが覆われるように化粧シート４を巻き付けて構成してある。
【００５６】
これらの変形例においても、上述した実施形態と同様の作用効果を奏するが、それに加えて、鋼材３１，３２，３３の曲げ剛性が棚板本体２を補剛するため、住宅収納用棚板全体の面外曲げ剛性を高めて収納物の許容載荷荷重を引き上げることができるという作用効果も奏する。
【００５７】
また、本実施形態は、本発明の磁性材を、帯状の磁性部材や、横断面がＬ字状、Ｃ字状又は角筒状の鋼材で構成したが、これに代えて、図４や図５に示した構成を採用することが可能である。
【００５８】
図４に示した住宅収納用棚板は、本発明の磁性材として、長尺状平板部４２とその長手側縁部にそれぞれ設けられた突条４３，４３とで構成されたゴム磁石からなる長尺状の磁性部材４１を採用し、該磁性部材を、突条４３，４３が設けられた側と反対の側で棚板本体２の端面５に取り付けるとともに、棚板本体２の上下面と磁性部材４１とが覆われるように化粧シート４を巻き付けて構成してある。
【００５９】
この変形例においても、上述した実施形態と同様の作用効果を奏するが、長尺状平板部４２に磁着された識別手段であるスチール製フック４４が、突条４３，４３のうち、水平架設姿勢で下方となる側に設けられた突条４３で係止され、該フックの自重やそれに吊持される吊持物の荷重（同図(b)の白抜き矢印）の一部が、突条４３からの係止力によって支持されるため、磁性部材４１の磁力が比較的弱い場合、例えば等方性のゴム磁石を用いた場合に、突条４３による係止力でそれを補うことができるという作用効果も奏する。
【００６０】
なお、突条４３，４３のうち、上方の突条４３は省略することが可能である。
【００６１】
また、図５に示した住宅収納用棚板は、長尺状平板部５２とその長手側縁部にそれぞれ設けられた突条５３，５３とで構成された樹脂材料からなる係止部材５１を、突条５３，５３が設けられた側と反対の側で棚板本体２の端面５に取り付けるとともに、本発明の磁性材を帯状の磁性部材としての平鋼５４で構成して該平鋼を長尺状平板部５２に取り付け、棚板本体２の上下面と係止部材５１及び平鋼５４が覆われるように化粧シート４を巻き付けて構成してある。
【００６２】
この変形例においても、上述した実施形態と同様の作用効果を奏するが、長尺状平板部５４に磁着された識別手段であるマグネットフック（図示せず）が図４と同様、突条５３，５３のうち、水平架設姿勢で下方となる側に設けられた突条５３で係止されるため、マグネットフックの自重やそれに吊持される吊持物の荷重は、平鋼５４との磁着力に突条５３からの係止力が加わることとなり、かくしてマグネットフックに掛ける吊持物の許容吊持荷重を引き上げることができるという作用効果も奏する。
【００６３】
なお、突条５３，５３のうち、上方の突条５３は省略することが可能である。
【００６４】
また、平鋼５４を長尺状平板部５２に取り付ける構成に代えて、該長尺状平板部に埋設する構成を採用することが可能である。
【００６５】
［第２実施形態］
【００６６】
次に、第２実施形態に係る住宅用収納棚について説明する。なお、第１実施形態と実質的に同一の部品等については同一の番号を付してその説明を省略する。
【００６７】
図６は、第２実施形態に係る住宅用収納棚を示した全体斜視図である。これらの図でわかるように、本実施形態に係る住宅用収納棚６１は、住宅内に設置された玄関脇のウォークインクローゼット、リビング、ダイニング等の共用空間に設置された収納棚あるいはクローゼットに適用されるものであって、棚板６２ａ，６２ｂをそれらが互いに鉛直方向に離隔するようにそれぞれ水平に架設するとともに、該棚板の後方縁部直上に防護板６３ａ，６３ｂをそれぞれ配置してある。
【００６８】
防護板６３ａ，６３ｂは、バックガードとも呼ばれている保護部材であり、収納物、例えば靴の先端が収納棚６１の背板や設置壁面（いずれも図示せず）にぶつかることで該背板や設置壁面が汚れたり傷んだりするのを予め防止する役目を果たすものであり、例えば棚板６２ａ，６２ｂとそれらの背後に位置する背板や設置壁面との間に隙間が生じている場合には、その隙間に下縁を嵌め込む形で設置することができるし、棚板６２ａ，６２ｂを両端で受けるためのブラケットが固定される柱部材（いずれも図示せず）に架け渡すようにして設置することも可能である。
【００６９】
ここで、防護板６３ａ，６３ｂは、磁性材料である鋼板でそれぞれ構成してある。
【００７０】
本実施形態に係る住宅用収納棚６１において、棚板６２ａ，６２ｂの直上に拡がる各収納スペース２３ａ，２３ｂの利用を、居住者のうち、利用者である子供Ａ，Ｂにそれぞれ限定したい場合には、防護板６３ａ，６３ｂに磁着させる形で該防護板に識別手段としてのカラーマグネット２１ａ，２１ｂや、マグネット式プレート２２ａ，２２ｂを取り付ける。
【００７１】
ここで、識別手段としてカラーマグネット２１ａ，２１ｂを用いる場合には、それぞれの色をたとえば赤と緑にし、予め赤を子供Ａに、緑を子供Ｂにそれぞれ関連付けておけばよいし、マグネット式プレート２２ａ，２２ｂを用いる場合には、子供Ａの名前「Ichiro」と子供Ｂの名前「Hanako」をマグネット式プレート２２ａ，２２ｂにそれぞれ記載しておけばよい。
【００７２】
このようにすると、子供Ａは、収納スペース２３ａが自分の専用スペースであると認識し、他の居住者は子供Ｂも含め、収納スペース２３ａを使ってはならないと認識可能な状態となり、子供Ｂは、収納スペース２３ｂが自分の専用スペースであると認識し、他の居住者は子供Ａも含め、収納スペース２３ｂを使ってはならないと認識可能な状態となる。
【００７３】
以上説明したように、本実施形態に係る住宅用収納棚６１によれば、棚板６２ａ，６２ｂの後方縁部直上に配置される防護板６３ａ，６３ｂを鋼板で構成したので、防護板６３ａ，６３ｂに磁着させる形で該防護板にカラーマグネット２１ａ，２１ｂや、マグネット式プレート２２ａ，２２ｂといった識別手段を取り付けることができるとともに、これらの識別手段が付された収容スペース２３ａ，２３ｂが、それぞれ子供Ａ，Ｂの専用スペースであることを居住者各員が互いに認識し、他の収容スペースと区別することができるので、子供Ａ，Ｂに対し、自分の持ち物を決められた場所、すなわち収納スペース２３ａ，２３ｂにそれぞれ収納するよう、習慣づけることが可能となる。
【００７４】
また、本実施形態に係る住宅用収納棚６１によれば、防護板６３ａ，６３ｂに対し、識別手段であるカラーマグネット２１ａ，２１ｂや、マグネット式プレート２２ａ，２２ｂを容易に着脱することができるので、利用者の割当ても簡単に変更することが可能となり、子供の成長や生活環境の変化にも柔軟に対応することができる。
【００７５】
本実施形態では、本発明の防護板を、鋼板からなる防護板６３ａ，６３ｂで構成したが、これに代えて、非磁性材料からなる防護本体とその一方の面に配置された磁性材とからなる防護板で構成することが可能である。
【００７６】
かかる防護板は、例えば樹脂材料からなる板状の防護本体の正面側に磁性材としての鋼板を重ねて構成したり、同じく樹脂材料からなる板状の防護本体の正面側に磁性材としてのシート状のゴム磁石を重ねて構成することが可能である。
【符号の説明】
【００７７】
１，１ａ，１ｂ  住宅収納用棚板
２              棚板本体
３              平鋼（磁性材、帯状の磁性部材）
４              化粧シート
５              端面
２３ａ，２３ｂ    収納スペース
２１ａ，２１ｂ    カラーマグネット（識別手段）
２２ａ，２２ｂ    マグネット式プレート（識別手段）
３１，３２，３３  鋼材（磁性材）
４１              磁性部材（長尺状の磁性部材）
４２              長尺状平板部
４３              突条
５１              係止部材
５２              長尺状平板部
５３              突条
５４              平鋼（磁性材、帯状の磁性部材）
６１              住宅用収納棚
６２ａ，６２ｂ    棚板
６３ａ，６３ｂ    防護板
【図１】
2015140566.tif 000003
【図２】
2015140566.tif 000004
【図３】
2015140566.tif 000005
【図４】
2015140566.tif 000006
【図５】
2015140566.tif 000007
【図６】
2015140566.tif 000008